(57)【要約】【課題】電動化されたオルゴール装置を提供する。【解決手段】オルゴール装置１０は、後方側に配置され、貫通孔１２１が形成された後方板１２と、後方板１２から前方側に延び、下側に配置された下側板１４と、後方板１２から前方側に延び、上側に配置された上側板１６と、後方板１２から前方側に延び、一方の側部に配置された第１の側板１８Ｌと、後方板１２から前方側に延び、他方の側部に配置された第２の側板１８Ｒと、を備え、下側板１４にゼンマイ駆動の第１のオルゴールムーブメントＯＭ又は電動の第２のオルゴールムーブメントＯＭ２が固定される。第２のオルゴールムーブメントＯＭ２は、モータ６４と、モータ６４の動力を伝達する動力伝達機構６６と、動力伝達機構によって駆動されるシリンダ６８と、を有し、モータ６４の駆動電流を供給するための配線部材６０が、貫通孔１２１を通って接続される。【選択図】図１０
2019074646.tif 000002
【特許請求の範囲】
【請求項１】
後方側に配置され、貫通孔が形成された後方板と、
前記後方板から前方側に延び、下側に配置された下側板と、
前記後方板から前方側に延び、上側に配置された上側板と、
前記後方板から前方側に延び、一方の側部に配置された第１の側板と、
前記後方板から前方側に延び、他方の側部に配置された第２の側板と、を備え、
前記下側板にゼンマイ駆動の第１のオルゴールムーブメント又は電動の第２のオルゴールムーブメントが固定されるオルゴール装置であって、
前記第２のオルゴールムーブメントが、モータと、
前記モータの動力を伝達する動力伝達機構と、
前記動力伝達機構によって駆動されるシリンダと、を有し、
前記モータの駆動電流を供給するための配線部材が、前記貫通孔を通って接続されるオルゴール装置。
【請求項２】
請求項１記載のオルゴール装置において、
前記貫通孔が、ねじ孔であり、
前記ねじ孔に前記第１のオルゴールムーブメントの動作を停止させるストッパが背面側からねじ込まれるオルゴール装置。
【発明の詳細な説明】
【技術分野】
【０００１】
本発明は、オルゴール装置に関する。
【背景技術】
【０００２】
特許文献１には、音響効果を向上させたオルゴール装置が記載されている。このオルゴール装置は、後方側に配置された後方板と、後方板から前方側に延び、下側に配置された下側板と、後方板から前方側に延び、上側に配置された上側板と、後方板から前方側に延び、一方の側部に配置された第１の側板と、後方板から前方側に延び、他方の側部に配置された第２の側板と、を備え、前方が開口している。下側板には、オルゴールムーブメントが固定されている。
【先行技術文献】
【特許文献】
【０００３】
【特許文献１】特開２０１５−２２８００７号公報
【発明の概要】
【発明が解決しようとする課題】
【０００４】
本発明は、電動化されたオルゴール装置を提供することを目的とする。
【課題を解決するための手段】
【０００５】
前記目的に沿う本発明に係るオルゴール装置は、後方側に配置され、貫通孔が形成された後方板と、
前記後方板から前方側に延び、下側に配置された下側板と、
前記後方板から前方側に延び、上側に配置された上側板と、
前記後方板から前方側に延び、一方の側部に配置された第１の側板と、
前記後方板から前方側に延び、他方の側部に配置された第２の側板と、を備え、
前記下側板にゼンマイ駆動の第１のオルゴールムーブメント又は電動の第２のオルゴールムーブメントが固定されるオルゴール装置であって、
前記第２のオルゴールムーブメントが、モータと、
前記モータの動力を伝達する動力伝達機構と、
前記動力伝達機構によって駆動されるシリンダと、を有し、
前記モータの駆動電流を供給するための配線部材が、前記貫通孔を通って接続される。
【０００６】
本発明に係るオルゴール装置において、
前記貫通孔が、ねじ孔であり、
前記ねじ孔に前記第１のオルゴールムーブメントの動作を停止させるストッパが背面側からねじ込まれることが好ましい。
【発明の効果】
【０００７】
本発明によれば、電動化されたオルゴール装置を提供できる。
【図面の簡単な説明】
【０００８】
【図１】本発明の一実施の形態に係るオルゴール装置の斜視図である。
【図２】同オルゴール装置の平面図である。
【図３】同オルゴール装置の底面図である。
【図４】同オルゴール装置の左側面図である。
【図５】同オルゴール装置の右側面図である。
【図６】同オルゴール装置の正面図である。
【図７】同オルゴール装置の背面図である。
【図８】同オルゴール装置が有する後方板を取り外した状態を示す背面図である。
【図９】電動オルゴールムーブメントの斜視図である。
【図１０】オルゴールムーブメントが電動オルゴールムーブメントである場合の同オルゴール装置の斜視図である。
【図１１】オルゴールムーブメントが電動オルゴールムーブメントである場合の同オルゴール装置の平面図である。
【発明を実施するための形態】
【０００９】
続いて、添付した図面を参照しつつ、本発明を具体化した実施の形態につき説明し、本発明の理解に供する。なお、図において、説明に関連しない部分は図示を省略する場合がある。
【００１０】
本発明の一実施の形態に係るオルゴール装置１０は、図１に示すように、内部に空間Ｓが形成され、前方が開口している。空間ＳにはオルゴールムーブメントＯＭ（図２及び図６参照）が配置されている。
【００１１】
詳細には、オルゴール装置１０は、図１〜図７に示すように、後方板１２、下側板１４、上側板１６、左側板１８Ｌ、右側板１８Ｒ、連結部材２０（図２及び図６参照）、ベース板２２、及びオルゴールムーブメントＯＭを備えている。
【００１２】
後方板１２は、図７に示すように、横方向に長い板状の部材である。後方板１２には、図２に示すように、ねじ孔１２１が形成されている。このねじ孔１２１には、オルゴールムーブメントＯＭの動作を停止するためストッパ３０が挿入される。ストッパ３０は、雄ねじが形成された取手３０２と、取手３０２から延びるピン３０４を有している。
後方板１２の上側の端部及び下側の端部には、図４に示すように、それぞれ突起部１２２ａ、１２２ｂが形成されている。これら突起部１２２ａ、１２２ｂは、上側板１６及び下側板１４にそれぞれ形成された、左右方向に延びる溝１６２及び溝１４２に差し込まれ、後方板１２を右側（図７に示す矢印参照）にスライドさせることによって取り外すことができる。
【００１３】
下側板１４は、後方板１２から前方側に延び、図１に示すように、下側に配置された板状の部材である。下側板１４の前方側の端部１４４は湾曲して左側板１８Ｌ及び右側板１８Ｒよりも突出しており、この端部１４４の幅が前方に向かうに従って小さくなっている。
下側板１４の下面の角部には、図３に示すように、それぞれ、脚部材５４が取り付けられている。なお、４つの脚部材５４のうち、少なくとも１つはアジャスタとなっている。
【００１４】
上側板１６は、後方板１２から前方側に延び、図１に示すように、上側に配置された板状の部材である。上側板１６の前方側の端部１６４は湾曲して左側板１８Ｌ及び右側板１８Ｒよりも突出しており、この端部１６４の幅が前方に向かうに従って小さくなっている。
なお、上側板１６及び下側板１４の前方側の端部１４４、１６４がともに突出し、端部１４４、１６４の幅が前方に向かうに従って小さくなっていることが好ましいが、上側板１６及び下側板１４のうち、いずれか一方の前方側の端部のみが突出し、端部の幅が前方に向かうに従って小さくなっていてもよい。
【００１５】
右側板（第１の側板の一例）１８Ｒは、後方板１２から前方側に延び、正面から見て右側（一方の側部）に配置された板状の部材である。
左側板（第２の側板の一例）１８Ｌは、後方板１２から前方側に延び、正面から見て左側（他方の側部）に配置された板状の部材である。
隣接する下側板１４、上側板１６、左側板１８Ｌ及び右側板１８Ｒは、組接ぎにより接合されることが好ましい。組接ぎにより接合されることによって、音質が安定する。
【００１６】
連結部材２０は、図６に示すように、下側板１４及び上側板１６を連結する柱状の部材である。連結部材２０が下側板１４及び上側板１６を連結することによって、音響効果が向上する。
なお、後方板１２、下側板１４、上側板１６、左側板１８Ｌ、右側板１８Ｒ、及び連結部材２０の材質は、同じ種類の木材であることが好ましい。
【００１７】
オルゴールムーブメント（第１のオルゴールムーブメント）ＯＭは、演奏をするための機械部分である。オルゴールムーブメントＯＭは、シリンダ、櫛歯、及びゼンマイ等を有している。オルゴールムーブメントＯＭは、図２に示すように、平面視して連結部材２０と後方板１２との間に配置されている。オルゴールムーブメントＯＭはベース板２２の上に載り、ベース板２２は、図３に示す木製のねじ５０によって下側板１４に固定される。すなわち、オルゴールムーブメントＯＭは、ベース板２２を介して下側板１４に固定される。ベース板２２の材質は、下側板１４の木材よりも硬い木材であることが好ましい。
オルゴールムーブメントＯＭは、後方板１２に形成されたねじ孔１２１にストッパ３０がねじ込まれると、ピン３０４が進出し、演奏（動作）が停止する。
【００１８】
ここで、ゼンマイ駆動のオルゴールムーブメントＯＭは、図９に示す電動オルゴールムーブメント（第２のオルゴールムーブメント）ＯＭ２であってもよい。すなわち、下側板１４には、ゼンマイ駆動のオルゴールムーブメントＯＭ又は電動オルゴールムーブメントＯＭ２のいずれかが固定される。
【００１９】
電動オルゴールムーブメントＯＭ２は、図１０及び図１１に示すように、バッテリが内蔵されたモータドライバ６２によって駆動される。モータドライバ６２と電動オルゴールムーブメントＯＭ２とは、モータ６４の駆動電流を供給するケーブル６０を介して接続される。
電動オルゴールムーブメントＯＭ２は、図９に示すように、モータ６４、動力伝達機構６６、及びシリンダ６８等を有し、ベース板２２を介して下側板１４（図１０参照）に固定される。
モータ６４は、例えばＤＣモータであり、ベース板２２に固定されている。ベース板２２には、コネクタＣＮ１が設けられている。このコネクタＣＮ１は前述の後方板１２に形成されたねじ孔（貫通孔の一例）１２１の奥に位置し、ケーブル６０（図１０参照）の端部に設けられたコネクタＣＮ２が接続される。従って、コネクタ（配線部材の一例）ＣＮ２は、ねじ孔（貫通孔の一例）１２１を通って接続される。
動力伝達機構６６は、ウォームギヤや平歯車等の各種の歯車によって構成され、モータ６４の動力を伝達できる。
シリンダ６８は、モータ６４の動力を伝達する動力伝達機構６６によって駆動される。
【００２０】
次に、オルゴール装置１０の使用方法について説明する。
ゼンマイ駆動のオルゴールムーブメントＯＭが固定されている場合には、オルゴール装置１０の音楽は、図３に示すハンドル５２を用いてゼンマイを巻くことによって演奏される。ストッパ３０をねじ込んでピン３０４を内部に向かって進出させると、ピン３０４がオルゴールムーブメントＯＭの駆動部に接触し、オルゴールの演奏が停止する。
【００２１】
電動オルゴールムーブメントＯＭ２が固定されている場合には、図１１に示すようにケーブル６０のコネクタＣＮ２を後方板１２に形成されたねじ孔１２１の奥に位置するコネクタＣＮ１に接続する。モータドライバ６２のスイッチ６２２を入れると、モータ６４の駆動電流が供給され、シリンダ６８が回転して音楽が演奏される。モータドライバ６２のつまみ６２４を回すことで、モータ６４の回転速度が変化し、演奏の速さを変更することも可能である。
【００２２】
オルゴール装置１０のオルゴールムーブメントＯＭ又は電動オルゴールムーブメントＯＭ２は、異なる楽曲のオルゴールムーブメント又は電動オルゴールムーブメントに交換することが可能である。
【００２３】
ゼンマイ駆動のオルゴールムーブメントＯＭの交換手順は以下の通りである。なお、電動オルゴールムーブメントＯＭ２についてもオルゴールムーブメントＯＭと同じように交換できる。
（ステップＳ１）
後方板１２を背面側から見て右方向（図７に示す矢印の方向）にスライドさせ、取り外す（図８参照）。
【００２４】
（ステップＳ２）
ねじ５０を取り外してベース板２２ごとオルゴールムーブメントＯＭを下側板１４から取り外す。
【００２５】
（ステップＳ３）
別のベース板に載ったオルゴールムーブメントＯＭを下側板１４に取り付け、ねじ５０にて固定する。
【００２６】
（ステップＳ４）
ステップＳ１にて取り外した後方板１２を、図４に示す溝１４２、１６２に挿入して取り付ける。
【００２７】
このように、オルゴール装置１０においては、オルゴールムーブメントＯＭ又は電動オルゴールムーブメントＯＭ２を取り替えることで、ユーザは好きな曲を楽しむことができる。特に、オルゴール装置１０に電動オルゴールムーブメントＯＭ２が取り付けられている場合には、ゼンマイを巻くことなく長い時間にわたって曲を楽しむことができる。
【００２８】
以上、本発明の実施の形態を説明したが、本発明は、上記した形態に限定されるものでなく、要旨を逸脱しない条件の変更等は全て本発明の適用範囲である。
【符号の説明】
【００２９】
１０：オルゴール装置
１２：後方板
１４：下側板
１６：上側板
１８Ｌ：左側板
１８Ｒ：右側板
２０：連結部材
２２：ベース板
３０：ストッパ
５２：ハンドル
５４：脚部材
６０：ケーブル
６２：モータドライバ
６４：モータ
６６：動力伝達機構
６８：シリンダ
１２１：ねじ孔
１２２ａ、１２２ｂ：突起部
１４２、１６２：溝
３０２：取手
３０４：ピン
６２２：スイッチ
６２４：つまみ
ＣＮ１、ＣＮ２：コネクタ
Ｓ：空間
ＯＭ：オルゴールムーブメント
ＯＭ２：電動オルゴールムーブメント
【図１】
2019074646.tif 000003
【図２】
2019074646.tif 000004
【図３】
2019074646.tif 000005
【図４】
2019074646.tif 000006
【図５】
2019074646.tif 000007
【図６】
2019074646.tif 000008
【図７】
2019074646.tif 000009
【図８】
2019074646.tif 000010
【図９】
2019074646.tif 000011
【図１０】
2019074646.tif 000012
【図１１】
2019074646.tif 000013